(57)【特許請求の範囲】
【請求項１】
記録紙設置向き情報を含むメッセージを出力する報知部を有したスキャナユニットと、
該スキャナユニットに対し向きを変更して設置できるプリンタユニットと、
上記プリンタユニットのスキャナユニットに対する設置向きを判別する向き判別手段と、
上記向き判別手段が上記プリンタユニットのスキャナユニットに対する設置向きが変更されたことを判別したときには、上記記録紙設置向き情報を、変更された上記プリンタユニットのスキャナユニットに対する設置向きに応じた設置向きに切り換えて、上記メッセージを上記報知部に出力するようにしたメッセージ出力手段とを備えていることを特徴とする画像形成装置。
【請求項２】
請求項１において、
上記メッセージには、上記記録紙設置向き情報に代えてプリンタ設置向き情報が含まれ、
上記メッセージ出力手段は、上記向き判別手段が上記プリンタユニットのスキャナユニットに対する設置向きが変更されたことを判別したときには、上記プリンタ設置向き情報を、変更された上記プリンタユニットのスキャナユニットに対する設置向きに応じた設置向きに切り換えて、上記メッセージを上記報知部に出力する、画像形成装置。
【請求項３】
請求項１または２において、
設置向き判別データを設定する操作部をさらに備え、
上記向き判別手段は、上記操作部で設定された上記設置向き判別データにもとづいて上記プリンタユニットのスキャナユニットに対する設置向きを判別する、画像形成装置。
【請求項４】
請求項１または２において、
上記プリンタユニットのスキャナユニットに対する設置向きを検出する向き検出センサをさらに備え、
上記向き判別手段は、上記向き検出センサの検出信号にもとづいて上記プリンタユニットのスキャナユニットに対する設置向きを判別する、画像形成装置。
【請求項５】
請求項１または２において、
通信ネットワークを介して接続された外部端末より設置向き判別データを受け付けるインターフェースをさらに備え、
上記向き判別手段は、上記インターフェースを介して受け付けた上記設置向き判別データにもとづいて上記プリンタユニットのスキャナユニットに対する設置向きを判別する、画像形成装置。
【発明の詳細な説明】
【技術分野】
【０００１】
本発明は、スキャナユニットとプリンタユニットとが別体に構成され、プリンタユニットを、スキャナユニットに対し向きを変えて設置することが可能な画像形成装置の改良に関する。
【背景技術】
【０００２】
スキャナとプリンタとを備えた画像形成装置には、スキャナとプリンタとを別々の筐体に内装して分離された個別のユニット体として構成し、プリンタユニットをスキャナユニットの下方空間などに配置したものがある（例えば、特許文献１参照）。
【０００３】
このものは、たんに単体スキャナと単体プリンタとを接続しただけではなく、スキャナユニットに設けた操作表示パネルに、プリンタ側の例えば記録紙に関するメッセージが的確に表示されるように、機能的に一体に設計されたファクシミリ装置として提供されている。
【０００４】
この種の別体タイプのものでは、プリンタユニットをスキャナユニットの下方などで所望の向きに設置することができる。
【０００５】
特許文献１に記載のものは、スキャナユニットに設けた操作表示パネルと、プリンタユニットの記録紙トレイの引き出し部とが同一方向（正面）を向いた状態を、標準（デフォルト）の設置の状態としている。ユーザは、この状態でプリンタを使用しにくければ、排紙方向や記録紙トレイの向きなどを考慮して、プリンタユニットの向きを所望の向きに変えることができる。
【０００６】
このように、排紙トレイからの用紙の取り出しや、記録紙トレイの開閉などのプリンタユニットに関する操作を考慮して装置を設置できるので、ユーザは状況に応じて効率のよい作業空間を形成することができる。
【０００７】
また、プリンタユニットの設置向きを縦から横などに変えても、スキャナの原稿セット方向は、プリンタの設置向きの変更に応じて変更する必要がないため、設置向きを変更した後に、ユーザがスキャナ操作に不具合を生じることはほとんどない。
【特許文献１】特開２００３−３３５０１８号公報  図２
【発明の開示】
【発明が解決しようとする課題】
【０００８】
ところで、同種の画像形成装置には、スキャナユニットの操作表示パネルに、プリンタユニットの設置向きや記録紙の設置向きを示したアイコンなどの設置向き情報を含んだメッセージを表示するものがある。
【０００９】
ところが、そのような設置向き情報を含んだメッセージは標準の設置向きに合わせて設定されているため、標準とは異なる設置向きに変更した場合には、実際の装置の設置向きとメッセージに含まれる設置向き情報とが不一致となる。
【００１０】
例えば、用紙切れが発生した場合、表示パネルには、そのトレイ番号と、そのトレイに補給すべき記録紙のサイズと、用紙の向きを示す縦または横向きの用紙アイコン（設置向き情報）とが、標準の設置状態に合わせて表示される。したがって、プリンタユニットを標準とは異なる設置向きに設置の変更をしている場合には、装置の正面に立つユーザにとって、用紙アイコンが実際の記録紙トレイの用紙と異なる向きに表示されるためユーザは戸惑うことがある。
【００１１】
また、紙詰まりなどのプリンタエラーが発生したときに、プリンタの内部構造を示した平面図を操作表示パネルに示しながら、ユーザの復旧操作をガイドするものがある。内部構造を示した平面図としては、プリンタの扉、外殻、内部機構などを簡易に示したものが表示されるが、実際のプリンタの向きと表示の向きとが異なれば、きわめて操作はしにくい。
【００１２】
本発明は、このような事情を考慮して提案されたもので、その目的は、プリンタユニットの設置向きを変更してもユーザが操作を誤るおそれのない画像形成装置を提供することにある。
【課題を解決するための手段】
【００１３】
上記目的を達成するために、本発明の画像形成装置は、記録紙設置向き情報を含むメッセージを出力する報知部を有したスキャナユニットと、スキャナユニットに対し向きを変更して設置できるプリンタユニットと、プリンタユニットのスキャナユニットに対する設置向きを判別する向き判別手段と、向き判別手段がプリンタユニットのスキャナユニットに対する設置向きが変更されたことを判別したときには、記録紙設置向き情報を、変更されたプリンタユニットのスキャナユニットに対する設置向きに応じた設置向きに切り換えて、メッセージを報知部に出力するようにしたメッセージ出力手段とを備えている。
【００１４】
ここで、記録紙設置向き情報としては、「縦」、「横」などの向きを表現する文言のほか、記録紙の設置状態を示す用紙アイコンを含む絵、図などが含まれる。
【００１５】
また、他の本発明では、メッセージには、記録紙設置向き情報に代えてプリンタ設置向き情報が含まれ、メッセージ出力手段は、向き判別手段がプリンタユニットのスキャナユニットに対する設置向きが変更されたことを判別したときには、プリンタ設置向き情報を、変更された上記プリンタユニットのスキャナユニットに対する設置向きに応じた設置向きに切り換えて、メッセージを報知部に出力する。
【００１６】
ここで、プリンタ設置向き情報としては、「正面」、「縦」、「横」などの向きを表現する文言のほか、プリンタユニットの設置状態を示す平面図、絵などが含まれる。
【００１７】
また、他の本発明では、設置向き判別データを設定する操作部をさらに備えており、向き判別手段は、操作部で設定された設置向き判別データにもとづいてプリンタユニットのスキャナユニットに対する設置向きを判別する。
【００１８】
また、他の本発明では、プリンタユニットのスキャナユニットに対する設置向きを検出する向き検出センサをさらに備え、向き判別手段は、向き検出センサの検出信号にもとづいてプリンタユニットのスキャナユニットに対する設置向きを判別する。
【００１９】
さらに、他の本発明では、通信ネットワークを介して接続された外部端末より設置向き判別データを受け付けるインターフェースをさらに備え、向き判別手段は、インターフェースを介して受け付けた上記設置向きデータにもとづいてプリンタユニットのスキャナユニットに対する設置向きを判別する。
【発明の効果】
【００２０】
本発明の画像形成装置によれば、プリンタユニットのスキャナユニットに対する設置向きを変更するごとに、その設置向きを判別して、記録紙設置向き情報を変更してメッセージを表示する構成としている。この構成によれば、スキャナユニットの正面に立つ操作者は、メッセージに含まれる記録紙設置向き情報と、実際の記録紙の設置向きとが一致するため、そのようなメッセージが出力されたときにも戸惑うことはない。
【００２１】
他の本発明によれば、プリンタユニットのスキャナユニットに対する設置向きを変更するごとに、その設置向きを判別して、プリンタ設置向き情報を変えてメッセージを表示する構成としている。この構成によれば、スキャナユニットの正面に立つ操作者は、メッセージに含まれるプリンタ設置向き情報と、実際のプリンタユニットのスキャナユニットに対する設置向きとが一致するため、そのようなメッセージが表示されたときにも戸惑うことはない。
【００２２】
さらに、他の本発明によれば、操作部の操作によりプリンタユニットの設置向き判別データを設定できるようにしているため、ユーザは設定の変更が必要な場合のみ設定すればよく、利便性が高い。
【００２３】
また、他の本発明によれば、向き検出センサで検出された設置向きによってプリンタユニットのスキャナユニットに対する設置向きを判別しているため、設置向きの変更に応じて再設定の操作を行わなくてもよい。
【００２４】
さらに、他の本発明によれば、外部端末の操作によりプリンタユニットの設置向き判別データを設定できるようにしているため、ユーザは設定の変更が画像形成装置の設置場所から離れた箇所で行うことができ、利便性が高い。
【発明を実施するための最良の形態】
【００２５】
以下に、本発明の実施の形態について、添付図面とともに説明する。なお以下の例には、画像形成装置として、ファクシミリ機能とコピー機能とを備えたファクシミリ装置を示しているが、これには限定されず、すくなくともスキャナとプリンタとを組み合わせたプリンタ機能付きの複合機であってもよい。
【００２６】
図１、図２は、本発明の一例であるファクシミリ装置の設置例を示す斜視図であり、図１は標準設置の状態を示し、図２は標準設置とは異なる設置例を示している。
【００２７】
図示したファクシミリ装置１は、スキャナユニット２とプリンタユニット３とが別体に構成され、プリンタユニット３はスキャナユニット２に対して向きを変えて設置することを可能としている。
【００２８】
スキャナユニット２は、下方に空間を有したラック４の上部に設置され、自動原稿送り部を有した原稿カバー２０１と、読取機構部（不図示）を内装した本体部２０２と、本体部２０２より略水平方向に突出した操作、表示用のパネル部２０３とを備えている。
【００２９】
プリンタユニット３は、印字機構部（不図示）を内装した本体部３０１と、３種の記録紙の収納が可能な上、中、下の記録紙トレイ３０２と、排紙トレイ３０３とを備えている。また、図１中の２０は装置自身がプリンタユニット３の向きを判別するためのフォトセンサであり、本体部３０１の前面下部に設けられている。図例では、プリンタユニット３は、スキャナユニット２の下方の空間に、ラック４の１対の支持脚４０１に挟まれて、記録紙トレイ３０２の引き出し部がパネル操作する操作者と相対する向きとなるように収容されている。
【００３０】
また、スキャナユニット２とプリンタユニット３とは、ケーブルで接続されているが、これについては図示を省略している。
【００３１】
図１には、スキャナユニット２のパネル部２０３と、記録紙トレイ３０２の正面とが同一方向に向いた標準の設置状態を示しており、プリンタユニット３を矢印Ａの方向に引き出して、９０°左に回転させて再度、ラック４の下方の空間に収容させると図２の状態となる。すなわち、プリンタユニット３は、図１では正面向き（記録紙トレイ３０２が正面（スキャナユニット２のパネル部２０３側）を向いた状態）に設置されているが、図２では横向き（記録紙トレイ３０２が横（左）を向いた状態）に設置されている。
【００３２】
図２に示す変更後の設置状態では、フォトセンサ２０がラック４支持脚４０１で遮蔽されオンとなるため、ファクシミリ装置１は、このセンサのオン状態を読み取ってスキャナユニット２に対する設置向きを判別できるようになっている。
【００３３】
図３は、同ファクシミリ装置１の内部の基本構成を示すブロック図である。
【００３４】
このファクシミリ装置１は、ＣＰＵ１０、ＮＣＵ１１、モデム１２、スキャナ１３、読み取った画像データを保存する画像メモリ１４、操作部１５、表示部１６、ＲＯＭ１７、ＲＡＭ１８、プリンタ１９、フォトセンサ２０、音報知部２１を備えている。
【００３５】
ＣＰＵ１０は、各プログラムにしたがって、上記各部を制御するとともに、後述するように、種々のプログラムとともに表示部１６や音報知部２１などの報知部に対して種々のメッセージの報知制御を行うメッセージ出力手段を構成する。またＣＰＵ１０は、後述するフォトセンサ２０とともに向き判別手段を構成する。
【００３６】
ＮＣＵ１１は、公衆回線Ｎに対する発信、着信の網制御を行い、モデム１２は、送受信データの変調および復調を行う。これらにより、ファクシミリ送受信を実行する。
【００３７】
画像メモリ１４には、スキャナ１３で読み取った原稿の画像データが一時的に保存される。
【００３８】
操作部１５は、パネル部２０３（図１、図２参照）に設けられ、各種スイッチ（不図示）を備えるほか、表示部１６と兼用された操作表示パネル（ＬＣＤ）による操作手段も含んでいる。表示部１６は、操作表示パネル、表示ランプなどで構成され、操作表示パネルには、ガイダンス、メニューなどを含む種々のメッセージが表示される。
【００３９】
ＲＯＭ１７には各種プログラムや定数データが保存され、ＲＡＭ１８には、種々の表示メッセージを保存したメッセージデータ１８０１や各種設定データ、可変データなどの領域が確保されている。
【００４０】
プリンタ１９は、読み取った画像や受信した画像を、記録紙トレイ３０２にセットした記録紙に出力する動作を実行する。
【００４１】
フォトセンサ２０は、上述するように、プリンタユニット３の本体部３０１の前面下部に設けられ、オン、オフ信号をＣＰＵ１０が読み取って向きを判別するための向き検出センサを構成している。向き検出センサとしては、フォトセンサ２０に代えて、接触センサ、近接スイッチなど種々のセンサが使用できる。
【００４２】
音報知部２１は、音や音声合成されたメッセージを、スピーカ（不図示）を介して出力するように構成されている。
【００４３】
上述したように、同ファクシミリ装置１は、プリンタユニット３のスキャナユニット２に対する設置向きを９０°単位に変更することを可能としており、表示部１６に出力するメッセージが設置向き情報を含んだものであれば、プリンタユニット３のスキャナユニット２に対する設置向きの変更に応じて、メッセージに含まれる設置向き情報を変えて、そのメッセージを出力している。
【００４４】
ここで、設置向き情報として、プリンタユニット３に関するプリンタ設置向き情報、あるいは、そのプリンタユニット３に設置されている記録紙に関する記録紙設置向き情報が含まれる。プリンタ設置向き情報としては、「正面」、「縦」、「横」などの向きを含む文言のほか、プリンタユニット３の設置状態を示す平面図、絵などが含まれる。また、記録紙設置向き情報としては、「縦」、「横」などの向きを含む文言のほか、記録紙の設置状態を示す用紙アイコンなどの絵、図などが含まれる。
【００４５】
ついで、このメッセージ表示の基本動作について説明する。
【００４６】
図４は、同ファクシミリ装置１のメッセージ報知の基本動作を示すフローチャートである。また、図５Ａはプリンタユニット３を標準状態（正面向き）に設置した場合、図５Ｂは横向きに設置した場合の表示メッセージ例を示している。なお本例では、メッセージを表示部１６に出力する例を示している。
【００４７】
ＣＰＵ１０は、ユーザによる操作部１５の操作、エラーなどによるメッセージ報知要求を検出したときには、フォトセンサ２０の信号を読み取る。読み取った信号がオフである場合は標準である正面向き設置に対応したメッセージを編集し、表示する一方、オンである場合は横向き設置に対応したメッセージを編集し、表示する（ステップＳ１０１〜Ｓ１０５）。
【００４８】
例えば、プリンタユニット３が標準の設置向きである正面向きに設置され、上段の記録紙トレイ３０２にはＡ４用紙が縦向き（正面に対し記録紙の長手が縦に向いた状態）に収納されている場合に、用紙切れのエラーが発生したときには、図４のステップＳ１０３が実行され、図５Ａのメッセージが表示される。図５Ａに示すように、Ａ４用紙の向きを示す用紙アイコン（記録紙設置向き情報）は縦向きとなっている。
【００４９】
プリンタユニット３が横向きに設置が変更された場合は、その向きに応じて、上段の記録紙トレイ３０２に収納されているＡ４用紙の向きは横向き（正面に対し記録紙の長手が横に向いた状態）となる。この状態で用紙切れのエラーが発生したときには、図４のステップＳ１０４が実行され、用紙アイコンが横向きとなった図５Ｂのメッセージが表示される。
【００５０】
このように、プリンタユニット３のスキャナユニット２に対する設置向きを変更しても、ユーザインターフェースは、その向きに応じた記録紙設置向き情報を含むメッセージが表示されるようになっているため、スキャナユニット２の正面に立つ操作者はなんら戸惑うことはない。
【００５１】
メッセージの編集方法としては、図４のように、プリンタユニット３の正面向き、横向き設置に応じて用紙アイコンを２通り用意して、表示のつど編集するようにしてもよいが、記録紙設置向き情報の異なるメッセージを２通り準備するようにしてもよい。
【００５２】
なお、メッセージとしては、表示部１６に表示されるものに限られず、音報知部２１を介して出力される音や音声メッセージも含まれる。
【００５３】
また、メッセージ報知要求のイベント種類としては、上記の用紙切れに加えて、記録紙の紙詰まりエラーの際の復旧ガイド表示などプリンタ側で発生する種々の事象が含まれる。
【００５４】
この復旧ガイド表示では、復旧操作をガイドするために、プリンタユニット３の扉、外殻、内部機構などを簡易に示した平面図（プリンタ設置向き情報）が表示されるが、プリンタユニット３のスキャナユニット２に対する設置向きに応じた向きに表示されるため、ファクシミリ装置１の前に立っている操作者は、プリンタユニット３の扉の位置などを勘違いすることなく認識できる。
【００５５】
また、スキャナ側のイベントでも、プリンタ設置向きに応じてメッセージを可変させてもよい。例えば原稿読取の際の用紙選択メニューには、記録紙トレイ３０２に収納されている記録紙のサイズおよびセット方向を示す用紙アイコンが表示されるが、図４、図５の例と同様に、メッセージを切り換えることができる。
【００５６】
ただし、用紙選択メニューの場合、操作者は表示された用紙アイコンの向きに原稿セットの向きを合わせるおそれがあるため、メニュー表示は例えば次のようにすればよい。
・プリンタユニット３を標準の正面向きに設置している（上段トレイにはＡ４用紙が縦向きに収容されている）場合、「上段トレイ  Ａ４  縦アイコン」と表示する。
・プリンタユニット３を横向きに設置している（上段トレイにはＡ４用紙が横向きに収容されている）場合、「上段トレイ  Ａ４  横アイコン  （原稿は縦向きにセットしてください）」と表示する。
このように、プリンタユニット３のスキャナユニット２に対する設置向きを、標準状態から変更した場合には、原稿のセット向きを示唆する情報を付加したものを記録紙設置向き情報としてメッセージ表示すれば、操作者はなんら混乱することなく操作できる。
【００５７】
なお、このようなスキャナ側の操作に関するメッセージについては、メッセージを設置向きに応じて可変表示させず、標準の設置に合わせた固定のメッセージを表示するようにしてもよい。
【００５８】
また以上の例では、向き検出センサとして一方向のみにフォトセンサ２０を設けたものを示しているが、さらに別方向（例えば側面の一方側）にも設けて、それぞれの信号で、あるいはそれらの信号を組み合わせて向きを検出するようにしてもよい。
【００５９】
図６は、本発明の他例であるファクシミリ装置の基本構成を示すブロック図であり、図７は、同ファクシミリ装置の斜視図である。
【００６０】
このファクシミリ装置１００は、メッセージをプリンタユニット３のスキャナユニット２に対する設置向きに応じて可変させるために、向きを判別するための設置向き判別データ１８０２をＲＡＭ１８に保存している。この設置向き判別データ１８０２は、ユーザが操作部１５より設定できるもので、実際に設置された状態に応じて、横（標準）、縦のいずれかを選択することで設定できる。後述するように、外部端末２４からも同様の設定を可能としている。
【００６１】
設定向き判別データ１８０２の変更のための操作タイミングは、本例では、プリンタユニット３の上面の排紙トレイ３０３近傍に設けたフォトセンサ２２がオフからオンへの状態変化が検出された際に、音声などで報知され、同時に表示部１６の操作表示パネルに設定画面が表示される。つまり、プリンタユニット３が引き出されて、次に所定位置に収容されたときに、設置向き変更が完了したものとして設定変更の要求がなされる。
【００６２】
このように同ファクシミリ装置１００は、操作によりスキャナユニット２に対する設置向きを設定する構成であるため、向き検出センサ２０（図１、図３参照）は備えていない。また、同ファクシミリ装置１００は、パソコンなどの外部端末２４とＬＡＮを介して接続するためのＬＡＮインターフェース２３を備えている。なお、その他の構成部については図１〜図３と同様であるため、同一の符号を付して、説明を省略する。
【００６３】
図８は、同ファクシミリ装置１００の操作部１５による設置向き判別データ１８０２の設定動作を示すフローチャートである。
【００６４】
ＣＰＵ１０は、センサ２２がオンからオフに変化して設定変更の要求を検出したときには、音報知とともに、設置向きを設定するための設定変更画面（不図示）を表示部１６に表示し、ユーザに選択入力させる。ＣＰＵ１０は、入力された内容に応じて設置向き判別データ１８０２をセットする。なお、向きを変えずにプリンタユニット３の引き出し、収容の操作を行った場合など、設定変更の必要のない場合には、キャンセル操作でキャンセルできるようにしている（以上、ステップＳ２０１〜Ｓ２０５）。
【００６５】
また、フォトセンサ２２の故障などに対応して、設定変更画面は操作によって呼び出されるようにしてもよい。
【００６６】
さらに、例えばプリンタのみに関わるメッセージ、スキャナ操作にも関わるメッセージなどメッセージの種類ごとに設置向きを設定できるようにしてもよい。そうすれば、ユーザに応じて所望の設定ができる。
【００６７】
なお、ＣＰＵ１０のメッセージ出力動作は、プリンタユニット３のスキャナユニット２に対する設置向きの判別を、図４に示したフォトセンサ２０の検出（ステップＳ１０２）に代えて、設置向き判別データ１８０２にもとづいて行うものであり、その他は同様であるため、メッセージ出力動作を示すフローチャートは図４で代用する。
【００６８】
また、同ファクシミリ装置１００では、ＬＡＮに接続された外部端末２４においても設置向き判別データ１８０２の操作による設定を可能としている。この場合、外部端末２４では、設定変更画面で随時、データの変更を可能としてもよいし、センサ２２がオンからオフに変化したときに設定変更の要求信号をＬＡＮインターフェース２３を介して出力し、その要求信号を受け付けたタイミングでデータを変更するようにしてもよい（図８の流れとほぼ同様）。
【００６９】
このような構成によれば、同ファクシミリ装置１００のプリンタユニット３のスキャナユニット２に対する設置向きを変えたときに操作部１５による向き設定の変更をせずに現場を離れても、パソコン２４において判別データ１８０２の変更ができるため、わざわざファクシミリ装置１００の場所に戻って操作部１５で設定する必要がなく、利便性は高い。
【００７０】
なお、同ファクシミリ装置１００では、操作部１５、外部端末２４のいずれにおいても、操作により設置向きの設定ができるようになっているが、操作部１５、外部端末２４のいずれかで設定できるようにしてもよいし、また、排他的にデータを設定させるために、設定要求を一方のみに出力するようにしてもよい。
【図面の簡単な説明】
【００７１】
【図１】本発明の一例であるファクシミリ装置の設置例（プリンタユニットは正面向き（標準）に設置されている。）を示す斜視図である。
【図２】同ファクシミリ装置の基本構成を示すブロック図である。
【図３】同ファクシミリ装置の他の設置例（プリンタユニットは横向きに設置されている。）を示す斜視図である。
【図４】同ファクシミリ装置のメッセージ報知の基本動作を示すフローチャートである。
【図５Ａ】同ファクシミリ装置のプリンタユニットを正面向き（デフォルト）に設置したときのメッセージ報知例を示す図である。
【図５Ｂ】同ファクシミリ装置のプリンタユニットを縦向きに設置したときのメッセージ報知例を示す図である。
【図６】本発明の他例であるファクシミリ装置の基本構成を示すブロック図である。
【図７】同ファクシミリ装置の斜視図である。
【図８】同ファクシミリ装置のプリンタユニットの設置向きの操作による設定動作を示すフローチャートである。
【符号の説明】
【００７２】
１      ファクシミリ装置（画像形成装置）
２      スキャナユニット
２ａ      原稿カバー
２ｂ      本体部
２ｃ      パネル部
３      プリンタユニット
３０１      本体部
３０２      記録紙トレイ
３０３      排紙トレイ
１０      ＣＰＵ（メッセージ出力手段、向き判別手段）
１３      スキャナ
１５      操作部
１６      表示部
１８      ＲＡＭ
１８０１      メッセージデータ
１８０２      設置向き判別データ（他例）
１９      プリンタ
２０      フォトセンサ（向き検出センサ、向き判別手段）
２１      音報知部
２３      ＬＡＮインターフェース
２４      外部端末
【図１】
0004924323.tif 000002
【図２】
0004924323.tif 000003
【図３】
0004924323.tif 000004
【図４】
0004924323.tif 000005
【図５Ａ】
0004924323.tif 000006
【図５Ｂ】
0004924323.tif 000007
【図６】
0004924323.tif 000008
【図７】
0004924323.tif 000009
【図８】
0004924323.tif 000010